(57)【要約】  本発明は、手で握られるよう形成されたハウジング（２）と、回転軸（１９）を中心として回転するようハウジング（２）に取り付けられた保護キャップ（５）と、スイッチを駆動することができ、保護キャップ（５）における少なくとも部分的な円形凹部（１１）の内部に設けられた制御部材（４）と、を備えた電気脱毛装置（１）に関する。本発明は、保護キャップ（５）の回転軸（１９）が、保護キャップ（５）の凹部（１１）に対して偏心するよう構成されていることを特徴とする。
2008541962.tif 000002
【特許請求の範囲】
【請求項１】
手で握られるよう形成されたハウジング（２）と、
回転軸（１９）を中心として回転するよう前記ハウジング（２）に取り付けられた保護キャップ（５）と、
スイッチを駆動することができ、保護キャップ（５）における少なくとも部分的な円形凹部（１１）の内部に設けられた制御部材（４）と、
を備え、
保護キャップ（５）の回転軸（１９）は、保護キャップ（５）の凹部（１１）に対して偏心するよう構成されていることを特徴とする電気脱毛装置。
【請求項２】
制御部材（４）の移動範囲は、凹部（１１）の周囲にある境界領域（１２）により制限されていることを特徴とする請求項１記載の脱毛装置。
【請求項３】
制御部材（４）は、円形の外部輪郭を有することを特徴とする請求項１または２記載の脱毛装置。
【請求項４】
制御部材（４）は、段付きの円形ディスクを含むよう構成されていることを特徴とする請求項３記載の脱毛装置。
【請求項５】
前記スイッチは、スライド式スイッチとして構成されていることを特徴とする請求項１乃至４のいずれか一項に記載の脱毛装置。
【請求項６】
凹部（１１）の直径は、制御部材（４）の直径よりも、少なくとも、前記スイッチにおける２つの異なるスイッチの位置の間での、制御部材（４）の接触行程の長さ分だけ大きいことを特徴とする請求項１乃至５のいずれか一項に記載の脱毛装置。
【請求項７】
凹部（１１）の中心は、保護キャップ（５）の回転軸（１９）に対して、少なくとも接触行程の半分の距離と同一の距離だけ離間していることを特徴とする請求項１乃至６のいずれか一項に記載の脱毛装置。
【請求項８】
回転軸（１９）は、凹部（１１）の中心と、脱毛デバイス（３）を覆うよう機能する保護キャップの端部との間に設けられていることを特徴とする請求項１乃至７のいずれか一項に記載の脱毛装置。
【請求項９】
少なくとも脱毛装置のスイッチが切られた状態のときに、保護キャップ（５）における全ての回転位置において、制御部材（４）は、周領域内で凹部（１１）に接触するよう凹部（１１）の周囲にある境界領域（１２）にあるか、あるいは境界領域（１２）から距離を隔てて離間していることを特徴とする請求項２乃至８のいずれか一項に記載の脱毛装置。
【請求項１０】
脱毛装置（１）のスイッチが切られた状態のときに、制御部材（４）は回転軸（１９）に対して偏心するよう形成されることを特徴とする請求項１乃至９のいずれか一項に記載の脱毛装置。
【請求項１１】
制御部材（４）は、保護キャップ（５）に挿入される挿入部（１０）内に形成されることを特徴とする請求項１乃至１０のいずれか一項に記載の脱毛装置。
【請求項１２】
制御部材（４）と回転継ぎ手（１３）は、ハウジング（２）の主たる面における互いに反対側に設けられていることを特徴とする請求項１乃至１１のいずれか一項に記載の脱毛装置。
【請求項１３】
回転継ぎ手（１３）に対して反対側にある主たる面の領域において、ハウジング（２）は、保護キャップ（５）の回転移動の間において保護キャップ（５）を案内する案内部を有することを特徴とする請求項１乃至１２のいずれか一項に記載の脱毛装置。
【請求項１４】
保護キャップ（５）は、断面がＵ字形状となるよう構成されていることを特徴とする請求項１乃至１３のいずれか一項に記載の脱毛装置。
【請求項１５】
電気ひげそり装置として構成されていることを特徴とする請求項１乃至１４のいずれか一項に記載の脱毛装置。
【請求項１６】
脱毛デバイス（３）を覆う回転保護キャップ（５）と、脱毛装置（１）のオンおよびオフを切り換える制御部材（４）とを備え、制御部材（４）は、保護キャップ（５）の第１の回転位置でロックされ、保護キャップ（５）の第２の回転位置で動作可能となるような脱毛装置（１）の動作方法であって、
脱毛装置（１）のスイッチが入れられた状態のときに、保護キャップ（５）が第２の回転位置から第１の回転位置に動いたときに、保護キャップ（５）が制御部材（４）に作用することによって、脱毛装置（１）のスイッチが切られることを特徴とする脱毛装置（１）の動作方法。
【請求項１７】
保護キャップ（５）が第２の回転位置から第１の回転位置に動いたときに、保護キャップ（５）は制御部材（４）に対して連続的により強く作用することを特徴とする請求項１６記載の方法。
【請求項１８】
保護キャップ（５）は、偏心機構を介して制御部材（４）に対して作用することを特徴とする請求項１６または１７記載の方法。
【請求項１９】
保護キャップ（５）における湾曲した領域が、制御部材（４）における湾曲した領域に対して作用することを特徴とする請求項１６乃至１８のいずれか一項に記載の方法。
【請求項２０】
脱毛デバイス（３）は、保護キャップ（５）が第１の回転位置にあるときに当該保護キャップ（５）に覆われることを特徴とする請求項１６乃至１９のいずれか一項に記載の方法。
【発明の詳細な説明】
【技術分野】
【０００１】
本発明は、電気脱毛装置および電気脱毛装置の動作方法に関する。
【背景技術】
【０００２】
このような脱毛装置は、例えば、脱毛器、トリマー、またはひげそり装置とすることができる。脱毛装置を容易に使用することができるようにするために、電池または充電可能な電池を有するような、独立した動作を行うものが製造されている。しかしながら、このようなものは、例えば使用者が脱毛装置を旅行に持っていったときに、脱毛装置のスイッチが不注意に入れられ、電池または充電可能な電池が放電してしまう、という危険がある。このようなことが発生するのを防止するための１つの方法としては、脱毛装置のオン／オフスイッチを、オフ位置にロックするという方法がある。
【０００３】
例えば、欧州特許ＥＰ  ０  ８２５  ０００  Ｂ１により、少なくとも１つのカッター組合せ体のための少なくとも１つの電気的な駆動機構を有するハウジング、少なくとも１つの制御スイッチ、およびカッター組合せ体のための保護キャップを備え、保護キャップはハウジングに回転自在に取り付けられているような乾式ひげそり装置が知られている。制御スイッチは、カッター組合せ体を離すような、保護キャップがある特定の回転位置にあるときのみに駆動させることができる。このことは、例えば、制御スイッチをスライド式スイッチとし、保護キャップ内に、制御スイッチにおける少なくとも１つの制御移動のための接触行程として機能する凹部が設けられることにより、達成される。凹部は、保護キャップにおける画定された一の回転位置のみにおいて、接触行程として使用することができる。この特定の回転位置以外においては接触行程を利用することができず、このため制御スイッチは駆動しない。
【発明の開示】
【発明が解決しようとする課題】
【０００４】
本発明の目的は、信頼がありシンプルな方法で、電気脱毛装置の不注意な動作を防止することにある。
【課題を解決するための手段】
【０００５】
この目的は、請求項１に記載された各特徴の組合せ、および請求項１６に記載された各特徴の組合せにより解決される。
【０００６】
本発明による電気脱毛装置は、手で握られるよう形成されたハウジングと、回転軸を中心として回転するようハウジングに取り付けられた保護キャップと、スイッチを駆動することができ、保護キャップにおける少なくとも部分的な円形凹部の内部に設けられた制御部材とを備えている。本発明の脱毛装置の特徴は、保護キャップの回転軸が、保護キャップの凹部に対して偏心するよう構成されていることにある。
【０００７】
本発明は、シンプルな方法により、脱毛装置のスイッチが不注意に入れられることを防止し、その結果、例えば電池または再充電可能な電池の早期の放電を防止するような、信頼のある強固な連結を達成することができるという利点がある。これに関連して、脱毛装置の誤った操作が実際には除外され、脱毛装置のスイッチが入れられたときの保護キャップの回転移動が何のダメージも与えず、脱毛装置のスイッチがスムーズに切られるという利点がとりわけある。
【０００８】
制御部材の移動範囲は、凹部の周囲にある境界領域により制限され、制御部材の不注意による動作が防止されることが好ましい。制御部材は、円形の外部輪郭を有することが好ましい。このことにより、形状がコンパクトなものとなり、保護キャップを回転させるときの動きがスムーズとなる。とりわけ、制御部材は、段付きの円形ディスクを含むよう構成されていることが好ましい。スイッチは、スライド式スイッチとして構成されている。
【０００９】
凹部の直径は、制御部材の直径よりも、少なくとも、スイッチにおける異なる２つのスイッチの位置の間での、制御部材の接触行程の長さ分だけ大きくなっている。さらに、凹部の中心が、保護キャップの回転軸に対して、少なくとも接触行程の半分の距離と同一の距離だけ離間している場合には利点がある。回転軸は、凹部の中心と、脱毛デバイスを覆うよう機能する保護キャップの端部との間に設けることができる。少なくとも脱毛装置のスイッチが切られた状態のときに、保護キャップにおける全ての回転位置において、制御部材は、周領域内で凹部に接触するよう凹部の周囲にある境界領域にあるか、あるいは境界領域から距離を隔てて離間するようにすることができる。さらに、脱毛装置のスイッチが切られた状態のときに、制御部材は回転軸に対して偏心するよう形成されている。このような態様により、保護キャップの回転機能と、制御部材を使用するスイッチの駆動とを良好に調整することができる。
【００１０】
制御部材は、保護キャップに挿入される挿入部内に形成されることが好ましい。このことは、とりわけ、最適な材料の発現、例えば良好なスライド性能、の選択を許容することに加えて、製造技術の理由による。制御部材と回転継ぎ手は、ハウジングの主たる面における互いに反対側に設けられていることが好ましい。このことにより、両方の構成要素において十分な構造スペースが利用可能となり、２つの構成要素の複雑な絡み合いを避けることができる。とりわけ、保護キャップの回転移動の間における安定性を向上させる観点から、回転継ぎ手に対して反対側にある主たる面の領域において、ハウジングは、保護キャップの回転移動の間において保護キャップを案内する案内部を有することができるようにすることができる。
【００１１】
保護キャップは、断面がＵ字形状となるように構成されている。本発明の脱毛装置は、とりわけ電気ひげそり装置として構成されている。
【００１２】
本発明は、更に、脱毛デバイスを覆う回転保護キャップと、脱毛装置のオンおよびオフを切り換える制御部材とを備えたような脱毛装置の動作方法に関する。制御部材は、保護キャップの第１の回転位置でロックされ、保護キャップの第２の回転位置で動作可能となる。本発明の方法は、脱毛装置のスイッチが入れられた状態のときに、保護キャップが第２の回転位置から第１の回転位置に動いたときに、保護キャップが制御部材に作用することによって、脱毛装置のスイッチが切られることを特徴とする。
【００１３】
とりわけ、保護キャップが第２の回転位置から第１の回転位置に動いたときに、保護キャップは制御部材に対して連続的により強く作用するような態様とすることができる。保護キャップは、偏心機構を介して制御部材に対して作用することが好ましい。保護キャップにおける湾曲した領域が、制御部材における湾曲した領域に対して作用することに、とりわけ利点がある。このことにより、保護キャップの回転、および制御部材に対する保護部材の作用は、スムーズな衝撃のない移動とすることができる。
【００１４】
脱毛デバイスは、保護キャップが第１の回転位置にあるときに当該保護キャップに覆われることが好ましい。
【発明を実施するための最良の形態】
【００１５】
本発明は、添付図面により示される、電気ひげそり装置に関する実施形態を参照して、より詳細について以下に説明されよう。本発明は、電気ひげそり装置の他の実施形態と同様に、電気脱毛器や電気ヘアトリマーのような他の脱毛装置に関連する。
【００１６】
図１は、本発明による電気ひげそり装置１の実施形態を側面図で示す。ひげそり装置１の中心を通過するような、関連する縦断面を図２に示す。ひげそり装置１は、とりわけ、電池または充電可能な電池により動作することができる、独立した装置となっている。ひげそり装置１は、例えば旅行に容易に持っていくことができるよう構成されていることが好ましい。ひげそり装置１の内部のデザインは、簡略化のため図示されていない。外部の構成要素として、ひげそり装置１は、とりわけ、手で握ることができるハウジング２と、ひげそりヘッド３と、図面では示されないようなスイッチを駆動するための制御部材４と、保護キャップ５とを備えている。ひげそりヘッド３の内部には、カッター組合せ体６が設けられており、このカッター組合せ体６は、例えばひげそり金属薄片と、下刃とを有している。カッター組合せ体６は、図示しない電気モータにより駆動されるようになっている。
【００１７】
制御部材４は、段のある円形ディスクの形状となっており、ハウジング２の２つの主たる側部のうち一方の側部に設けられている。図１には、この主たる側部が示されている。制御部材４における半径方向に最大限延びる部分の領域において、制御部材４は、半径Ｄ１の円筒形の外部表面７を有している。制御部材４により駆動可能となっているスイッチは、ひげそり装置１の縦に延びる部分に平行となるよう位置合わせされた、スライド式スイッチとして構成されている。スイッチは、ひげそり装置１のオンおよびオフを切り換えるために使用される。この目的のため、スイッチは、カッター組合せ体６の電気モータに電力を供給するような電気回路に接続されている。図１および図２に示される制御部材４の位置は、それぞれひげそり装置１のスイッチが切られた状態に対応している。スイッチを入れるためには、制御部材４はひげそりヘッド３の方向に押されなければならない。
【００１８】
保護キャップ５は、縦断面がＵ字形状となっており、第１の脚部８および第２の脚部９によりハウジング２の２つの主たる側部を取り囲むようになっている。第１の脚部８は、凹部１１を含む円形の挿入部１０を有している。この凹部１１は、挿入部１０の円形の境界領域１２により、半径方向での外向きの方向における境界が定められるようになっている。境界領域１２は、制御部材４の外部表面７の半径Ｄ１よりも大きな半径Ｄ２を有している。凹部１１において、制御部材４は、当該制御部材４の外部表面７が挿入部１０の境界領域１２に隣接するよう構成されている。このような側部位置に関して、制御部材４は、凹部１１内に偏心して設けられており、制御部材４の外部表面７と、挿入部１０の境界領域１２との間の半径方向距離が周に沿って変化するようになっている。図１および図２によれば、制御部材４は、ひげそりヘッド３に近い側部において、挿入部１０の境界領域１２上に外部表面７があるように静止し、このため、制御部材４はひげそりヘッド３の方向にこれ以上移動させることができず、ひげそり装置１のスイッチを入れることができないようになっている。
【００１９】
保護キャップ５の第２の脚９の領域には、ハウジング２に接続されたジャーナル１４および保護キャップ５の第２の脚部９上に一体的に形成されジャーナル１４に向かって押されるようなスリーブ１５により、回転継ぎ手１３が設けられている。ジャーナル１４およびスリーブ１５は、半径方向に互いに係合し、このことによりハウジング２上に枢動可能に保護キャップ５が配置される。保護キャップ５の第１の脚８には、突出部１６が形成されている。この突出部１６は、ハウジング２内の溝部１７に係合し、保護キャップ５の回転動作の間、保護キャップ５の追加的な案内を行うようになっている。回転継ぎ手１３は、カバープレート１８により覆われている。ハウジング２の２つの主たる側部に対して垂直に向くよう、回転軸１９が回転継ぎ手１３により画定されている。このような態様において、回転継ぎ手１３は、挿入部１０の境界領域１２が回転軸１９に対して偏心して延びるよう構成されている。制御部材４の外部表面７は、回転軸１９に対して偏心するよう延びている。その結果、制御部材４の外部表面７に対する挿入部１０の境界領域１２の位置は、保護キャップ５が回転軸１９を中心として回転する間、変化する。とりわけ、保護キャップ５を回転させることにより、制御部材４の側部にある挿入部１０の境界領域１２を、制御部材４の外部表面７から大きく遠ざけて、ひげそりヘッド３に近くなるよう移動させることができる。このことにより、ひげそり装置１は、ひげそりヘッド３の方向に制御部材４を移動させることにより、スイッチを入れることができる。このことは、図４乃至図６を参照することによってより詳細に説明される。図４乃至図６の各ケースにおいて、保護キャップ５は、図１および図２に示すケースとは異なる回転位置にある。図１および図２に示す保護キャップ５の回転位置は、静止位置として示されている。図１および図２において、ひげそりヘッド３は保護キャップ５により覆われており、このため、ひげそりヘッド３は外部の機械的な作用から保護されており、ひげそり装置１のスイッチを入れることができないようになっている。
【００２０】
図３は、図１および図２において保護キャップ５が占める静止位置の概略図である。保護キャップ５の挿入部１０の境界領域１２の輪郭のみが示されるようなとても概略化された側面図に対応する表現方法において、制御部材４の外部表面７の輪郭および回転軸１９が図示されている。制御部材４の外部表面７の輪郭は、ひげそり装置１のスイッチが切られた状態に対応する位置が示されているとともに、ひげそり装置１のスイッチが入れられた状態に対応する位置が示されている。２つの位置の差異を明確にするために、スイッチが切られた状態における輪郭は実線で示され、スイッチが入れられた状態における輪郭は破線で示される。
【００２１】
図３は、回転軸１９に対する挿入部１０の境界領域１２の偏心した態様、および、ひげそり装置のスイッチが切られた状態における、回転軸１９に対する制御部材４の外部表面７の偏心した態様を明確に示している。さらに、図示される保護キャップ５の回転位置において、ひげそり装置１のスイッチを入れることは不可能であることが図３より明らかとなろう。なぜならば、ひげそり装置１のスイッチが入れられた状態における制御部材４の外部表面７を示す破線は、挿入部１０の外部領域１２の外側において部分的に半径方向に延びているからである。しかしながら、実際には、制御部材４の自由な移動は、境界領域１２の内部における半径方向の領域に制限される。このため、制御部材４を有するひげそり装置１のスイッチを入れることができるようにするために、境界領域１２は、保護キャップ５を回転させることにより移動させられるようにしなければならない。
【００２２】
図４は、保護キャップ５が中間位置にあるときのひげそり装置１を側面図で示す。また、図４に、図３に対応する図面における保護キャップ５の回転位置を示す。保護キャップ５は、回転軸１９を中心とする時計方向の回転により図１乃至図３に示す静止位置から移動し、保護キャップ５はひげそり装置１のハウジング２を越えて側方に突出する。回転位置の概略的な図面から明らかになるように、挿入部１０の境界領域１２は、回転軸１９を中心とする偏心移動により回転させられることによって移動させられ、ひげそりヘッド３に近い制御部材４の側部上で移動し、制御部材４の外部表面７からの離間距離が大きくなる。しかしながら、ひげそり装置１のスイッチを入れることは、引き続き不可能である。制御部材４がひげそりヘッド３の方向にわずかでも移動することができるようなときには、ひげそり装置１のスイッチを入れるために必要とされる位置には制御部材４は到達しない。なぜならば、この位置における制御部材４の外部表面７は、挿入部１０の境界領域１２の外側に半径方向において部分的に出ているからである。このため、保護キャップ５は、図５に示すような回転位置に達するまで、時計方向に移動させられる。
【００２３】
図５は、保護キャップ５が動作位置にあるようなひげそり装置１を側面図で示す。また、図３と同様の図面における保護キャップ５の回転位置を再度示す。図６は、関連するひげそり装置１の断面図を示す。動作位置において、保護キャップ５は静止位置に対して１８０°の角度で回転しており、ひげそりヘッド３の反対側におけるひげそり装置１の端部においてハウジング２を越えて突出している。このような突出の結果、ひげそり装置１を握るのに使用することができる領域は拡大し、このため、ひげそり装置の握り性能が向上する。さらに、保護キャップ５は、動作位置においてひげそりヘッド３を完全に露出させるので、ひげそりヘッド３はひげそりを行うのに適切なものとなる。保護キャップ５の回転位置の図面からとりわけ明らかなように、動作位置において、制御部材４は、ひげそり装置１のスイッチを入れるためにひげそりヘッド３の方向に十分離れるよう移動することができる。制御部材４の外部表面７は、ひげそり装置１のスイッチが切られた状態とスイッチが入れられた状態の両方において挿入部１０の境界領域１２の半径方向における内部にある。
【００２４】
ひげそりが終了すると、制御部材４をひげそりヘッド３から遠ざけることにより、ひげそり装置１のスイッチが切られる。そして、保護キャップ５は、ひげそりヘッド３を保護し、ひげそり装置１のスイッチが不注意で入れられないようにするために、静止位置に戻る。保護キャップ５を静止位置に戻すことは、ひげそり装置１のスイッチが最初に切られない場合でも、可能である。この場合、保護キャップ５を回転移動させることによる挿入部１０の境界領域１２の偏心移動により、制御部材４の外部表面７に対する連続的な移動が増加するよう境界領域１２が押圧され、このことにより制御部材４がひげそりヘッド３から遠ざかる方向に移動させられる。このことにより、最終的に、保護キャップ５の回転移動によりひげそり装置１のスイッチが切られる。この場合、保護キャップ５が静止位置にあるときに、ひげそり装置１のスイッチが切られたことが保証される。保護キャップ５を静止位置に戻すことによりひげそり装置１のスイッチが切られることは、よどみのない動きを生じさせ、ひげそり装置１に弊害を与えることはない。
【００２５】
偏心機構の最適な機能性を確実なものとするために、制御部材４の外部表面７の直径Ｄ１、挿入部１０の境界領域１２の直径Ｄ２、およびひげそり装置１のスイッチをオンまたはオフにするために制御部材４が移動しなければならない距離である接触行程の長さは、互いに調整されなければならない。このような調整は、直径Ｄ２およびＤ１の間の差の大きさが、少なくとも接触行程の長さと同一とされることにより行われる。好ましくは、保護キャップ５を静止位置に戻すことによりひげそり装置１のスイッチをオフにするのをできるだけ最適化するために、直径Ｄ２およびＤ１の間の差の大きさは、この大きさが接触行程と同一となるよう選択される。
【００２６】
また、偏心の度合い、すなわち、回転軸１９と、挿入部１０の境界領域１２の中心との間の距離も重要である。この距離は、接触行程の大きさの半分となるよう選択されることが好ましい。このことは、制御部材４がブロックされるような静止位置からの１８０°の保護キャップ５の回転移動のために、制御部材４が接触行程と同一の距離を移動することができるようにすることを意味している。小さい偏心の度合いは、ひげそり装置１のスイッチをオンにするのに十分ではない。大きな偏心の度合いは必要ではなく、また、利用可能なスペースの望ましくない使用につながることとなる。
【００２７】
上述した配置により、制御部材４の外部表面７と挿入部１０の境界領域１２が小さな周領域で互いに接触し、または非常に小さな一定の距離で互いに離間することとなる。このような周領域により、回転移動が可能となり、両方のケースにおいて、２つの脚８、９に対応する保護キャップ５の端部に近い制御部材４の側部上に位置することとなる。保護キャップ５が動作位置にあるときにおいてひげそり装置１のスイッチが入れられたとき、制御部材４の外部表面７および挿入部１０の境界領域１２の間の接触または小さな距離は、反対側の周領域にスイッチを切り換える。
【図面の簡単な説明】
【００２８】
【図１】本発明による実施形態を示す電気ひげそり装置の側面図である。
【図２】ひげそり装置の断面図である。
【図３】図１および図２に示す保護キャップにより占められる静止位置の概略図である。
【図４】保護キャップが中間位置にあるときのひげそり装置の側面図である。
【図５】保護キャップが動作位置にあるときのひげそり装置の側面図である。
【図６】保護キャップが動作位置にあるときのひげそり装置の断面図である。
【図１】
2008541962.tif 000003
【図２】
2008541962.tif 000004
【図３】
2008541962.tif 000005
【図４】
2008541962.tif 000006
【図５】
2008541962.tif 000007
【図６】
2008541962.tif 000008
【国際調査報告】
2008541962.tif 000009
2008541962.tif 000010
2008541962.tif 000011
2008541962.tif 000012